(57)【特許請求の範囲】
【請求項１】
本体部と、
前記本体部へ配列され、それぞれに光源素子配置部を含む複数の光源パッケージ配置部と、
前記複数の光源パッケージ配置部のうちの少なくとも１つの光源パッケージ配置部が軌跡方向に沿って配置されることを妨害する軌跡配置障害部と
を備え、
前記軌跡方向は、前記複数の光源素子配置部を結ぶ軌跡に沿っており、
前記複数の光源素子配置部は等間隔に配列され、
前記複数の光源パッケージ配置部は、
前記軌跡方向と異なる方向に沿って配置される複数の第１光源パッケージ配置部と、
前記軌跡方向に対して平行に配置される複数の第２光源パッケージ配置部と
を含み、
前記複数の第１光源パッケージ配置部のそれぞれは、前記軌跡配置障害部に隣接する位置に配置され、
前記複数の第２光源パッケージ配置部のそれぞれは、前記軌跡配置障害部に隣接しない位置に配置される、基板。
【請求項２】
前記光源パッケージ配置部は、
一端に配置される第１電極配置部と、
他端に配置される第２電極配置部と
を含み、
前記第１光源パッケージ配置部の前記第１電極配置部から前記第２電極配置部に向かう方向を示す電極方向は、前記第２光源パッケージ配置部の前記第１電極配置部から前記第２電極配置部に向かう方向を示す前記電極方向と異なる、請求項１に記載の基板。
【請求項３】
前記複数の光源素子配置部は同一円周上に配列される、請求項１または請求項２に記載の基板。
【請求項４】
請求項１から請求項３のいずれか１項に記載の基板と、
前記複数の光源パッケージ配置部にそれぞれ配置されている複数の光源パッケージと
を備え、
前記複数の光源パッケージのそれぞれは光源素子を有し、
前記複数の光源素子が前記複数の光源素子配置部に対応するように、前記複数の光源パッケージ配置部は配置されている、光源モジュール。
【発明の詳細な説明】
【技術分野】
【０００１】
本発明は、基板および光源モジュールに関する。
【背景技術】
【０００２】
天井に取り付ける照明器具（シーリングライト）の光源として、複数のＬＥＤを用いた照明器具が知られている。特許文献１に記載の発光装置は、複数のＬＥＤ（ＬＥＤパッケージ）を実装した基板を備える。特許文献１の発光装置では、３つの光源を１つの光源グループとした光源グループが円周方向に沿って等間隔に配置されている。
【先行技術文献】
【特許文献】
【０００３】
【特許文献１】特開２００９−２７２１８９号公報
【発明の概要】
【発明が解決しようとする課題】
【０００４】
しかしながら、特許文献１に記載のＬＥＤパッケージの向きは、基板の周方向に対して同じ方向を向くように搭載されているため、基板の設計の自由度が低かった。また、特許文献１の発光装置では、光源グループが等間隔に配置されているものの、基板に取り付けられた各光源の間隔は等間隔ではなく照射ムラが生じることがあった。
【０００５】
本発明は上記課題に鑑みてなされたものであり、その目的は取り付けられる光源の照射ムラを抑制しつつ、設計の自由度を上げることができる基板および光源モジュールを提供することにある。
【課題を解決するための手段】
【０００６】
本願に開示する基板は、本体部と、複数の光源パッケージ配置部と、軌跡配置障害部とを備える。前記複数の光源パッケージ配置部は、前記本体部へ配列される。前記複数の光源パッケージ配置部は、それぞれに光源素子配置部を含む。前記軌跡配置障害部は、前記複数の光源パッケージ配置部のうちの少なくとも１つの光源パッケージ配置部が軌跡方向に沿って配置されることを妨害する。前記軌跡方向は、前記複数の光源素子配置部を結ぶ軌跡に沿っている。前記複数の光源素子配置部は等間隔に配列される。前記複数の光源パッケージ配置部は、第１光源パッケージ配置部と、第２光源パッケージ配置部とを含む。前記複数の第１光源パッケージ配置部は、前記軌跡方向と異なる方向に沿って配置される。前記複数の第２光源パッケージ配置部は、前記軌跡方向に対して平行に配置される。前記複数の第１光源パッケージ配置部のそれぞれは、前記軌跡配置障害部に隣接する位置に配置される。前記複数の第２光源パッケージ配置部のそれぞれは、前記軌跡配置障害部に隣接しない位置に配置される。
【０００７】
本願に開示する基板において、前記光源パッケージ配置部は、一端に配置される第１電極配置部と、他端に配置される第２電極配置部とを含むことが好ましい。前記第１光源パッケージ配置部の前記第１電極配置部から前記第２電極配置部に向かう方向を示す電極方向は、前記第２光源パッケージ配置部の前記第１電極配置部から前記第２電極配置部に向かう方向を示す前記電極方向と異なることが好ましい。
【０００９】
本願に開示する基板において、前記複数の光源素子配置部は同一円周上に配列されることが好ましい。
【００１０】
本願に開示する光源モジュールは、上記に記載の基板と、複数の光源パッケージとを備える。前記複数の光源パッケージは、前記複数の光源パッケージ配置部にそれぞれ配置されている。前記複数の光源パッケージのそれぞれは光源素子を有する。前記複数の光源素子が前記複数の光源素子配置部に対応するように、前記複数の光源パッケージ配置部は配置されている。
【発明の効果】
【００１１】
取り付けられる光源の照射ムラを抑制しつつ、基板の設計の自由度を上げることができる。
【図面の簡単な説明】
【００１２】
【図１】本発明の実施形態に係る光源モジュールを備える照明器具を示す模式的な斜視図である。
【図２】本発明の実施形態に係る光源モジュールを備える照明器具の器具本体の模式的な下面図である。
【図３】本発明の実施形態に係る基板を示す模式図である。
【図４】図３の一部拡大図である。
【図５】図３の一部拡大図である。
【図６】本発明の他の実施形態に係る基板を示す模式図である。
【発明を実施するための形態】
【００１３】
以下、本発明の実施形態について、図面を参照しながら説明する。なお、図中、同一または相当部分については同一の参照符号を付して説明を繰り返さない。
【００１４】
図１および図２を参照して、本発明の実施形態に係る光源モジュール１５０を備える照明器具２００について説明する。図１は、本発明の実施形態に係る光源モジュール１５０を備える照明器具２００を示す模式的な斜視図である。図２は、本発明の実施形態に係る光源モジュール１５０を備える照明器具２００の器具本体２０５の模式的な下面図である。なお、図２は、細部の構成を明瞭に図示するために、照明器具２００のうち要部のみ図示した。
【００１５】
照明器具２００は、例えば、天井に取り付けられるシーリングライトである。照明器具２００は、例えば円盤状である。照明器具２００は、器具本体２０５と、セード２１０とを有する。セード２１０は、器具本体２０５の照射面側を覆うように取り付けられる。
【００１６】
図２を参照して、本発明の実施形態に係る光源モジュール１５０について説明する。器具本体２０５は、光源モジュール１５０と、筐体２２０と、枠体２３０と、電源ユニット収納部２４０とを有する。
【００１７】
筐体２２０は、光源モジュール１５０と、電源ユニット収納部２４０とを支持する。光源モジュール１５０は、取付具５２ａ、取付具５２ｂおよび取付具５２ｃによって枠体２３０に取り付けられている。取付具５２ａ、取付具５２ｂおよび取付具５２ｃは、例えば、取付ビスである。
【００１８】
本実施形態において、光源モジュール１５０は、円環状である。光源モジュール１５０は、基板１００と、複数の光源パッケージ１２と、コネクタ６２とを備える。複数の光源パッケージ１２のそれぞれは、光源素子９２を有する。光源素子９２はＬＥＤ（Ｌｉｇｈｔ  Ｅｍｉｔｔｉｎｇ  Ｄｉｏｄｅ）である。複数の光源素子が基板１００の複数の光源素子配置部に対応するように複数の光源パッケージ配置部は配置される。コネクタ６２は、基板１００のコネクタ配置部に配置される。基板１００、光源パッケージ配置部、光源素子配置部およびコネクタ配置部については、図３を参照して後述する。
【００１９】
電源ユニット収納部２４０には、電源ユニット（不図示）が収納される。電源ユニットは、電源ケーブル（不図示）を介してコネクタ６２に接続される。電源ユニットは、光源パッケージ１２に電力を供給する。
【００２０】
図１〜図３を参照して本発明の実施形態に係る基板１００について説明する。図３は、本発明の実施形態に係る基板１００を示す模式図である。
【００２１】
基板１００は、本体部１０と、複数の光源パッケージ配置部１１と、コネクタ配置部６１と、複数の取付具配置部５１と、複数のミシン目３１とを有する。複数の光源パッケージ配置部１１は、複数の光源素子配置部９１を有する。複数の光源素子配置部９１は、光源素子配置部９１ａ〜９１ｘを含む。複数の光源パッケージ配置部１１は、光源パッケージ配置部１１ａ〜１１ｘを含む。複数の取付具配置部５１は、取付具配置部５１ａ〜５１ｃを含む。複数のミシン目３１は、ミシン目３１ａ〜３１ｉを含む。
【００２２】
本体部１０は、例えば長手方向Ｄ２に延びる環状である。本実施形態では、本体部１０は、例えば円環状である。本体部１０の外径は、例えば、１００ｍｍである。本体部１０の内径は、例えば、８０ｍｍである。本体部１０の径方向の幅は、例えば、１０ｍｍである。本体部１０は、主面１６、側面１８ａおよび側面１８ｂを有する。主面１６は、長手方向Ｄ２に延びる。側面１８ａおよび側面１８ｂは、長手方向Ｄ２に延びる。
【００２３】
複数の光源素子配置部９１は、本体部１０へ配列される。複数の光源素子配置部９１のそれぞれには、光源素子９２が配置される（図２参照）。光源素子９２からは、略円形状に光が照射される。すなわち、光源素子９２から出る光によって照射面に形成される光スポットの形状は、略円形である。複数の光源パッケージ配置部１１は、本体部１０へ配列される。複数の光源パッケージ配置部１１のそれぞれには、光源パッケージ１２が配置される（図２参照）。光源パッケージ１２の向きは、光源パッケージ配置部１１の向きによって決まる。複数の光源パッケージ配置部１１のそれぞれの内部には光源素子配置部９１が位置している。例えば、光源素子配置部９１は、光源パッケージ配置部１１の中心に配置される。なお、光源素子配置部９１は、光源パッケージ配置部１１の中心からずれた位置に配置されていてもよい。
【００２４】
コネクタ配置部６１は、本体部１０に配置される。コネクタ配置部６１には、コネクタ６２（図２参照）が配置される。
【００２５】
ミシン目３１は、基板１００の打ち抜き加工前に原基板（図示せず）と接続されていた部分である。原基板をミシン目３１に沿って切断することによって、基板１００を原基板から切り離すことができる。ミシン目３１を本体部１０に設けるために、本体部１０は側面１８に凹部３２を有する。例えば、本体部１０は外周側の側面１８ａに、凹部３２ａ〜凹部３２ｆを有する。本体部１０は内周側の側面１８ｂに凹部３２ｇ〜凹部３２ｉを有する。
【００２６】
複数の取付具配置部５１は、本体部１０に配置される。取付具配置部５１は、例えば、貫通穴である。複数の取付具配置部５１のそれぞれには、取付具５２（図２参照）が取り付けられる。取付具５２は、例えば、取付ビスである。取付具配置部５１を本体部１０に設けるために、本体部１０は側面１８ｂに凸部５３を有する。なお、凸部５３を設けることは必須ではなく、取付具配置部５１を本体部１０の側面１８ａと側面１８ｂとの間に収まる位置に配置できれば、凸部５３を設けることなく取付具配置部５１を設けることができる。
【００２７】
複数の光源素子配置部９１は、本体部１０の周方向において等間隔に配置される。すなわち、隣接する光源素子配置部９１の距離は等しい。具体的には、光源素子配置部９１ａと光源素子配置部９１ｂとの距離は、光源素子配置部９１ｂと光源素子配置部９１ｃとの距離と等しい。複数の光源素子配置部９１を等間隔に配置することによって、複数の光源素子９２から出射する光の間隔がほぼ等しくなるため、照明器具２００の照射ムラを抑制することができる。本実施形態では、複数の光源素子配置部９１は同一円周上に配置される。
【００２８】
基板１００は、軌跡方向Ｄ１に沿って配置されることを妨害する軌跡配置障害部をさらに備える。軌跡方向Ｄ１は、光源パッケージ配置部１１が複数の光源素子配置部９１を結ぶ軌跡に沿っている。軌跡配置障害部は、コネクタ配置部６１、複数の凹部３２および複数の取付具配置部５１を含む。軌跡配置障害部については、図４および図５を参照して後述する。
【００２９】
基板１００において、軌跡配置障害部に隣接または近くに配置される光源パッケージ配置部１１は、軌跡方向Ｄ１に対する角度を変更して配置される。例えば、軌跡方向Ｄ１に対する光源パッケージ配置部１１ａの角度と、軌跡方向Ｄ１に対する光源パッケージ配置部１１ｂの角度とは異なる。また、軌跡方向Ｄ１に対する光源パッケージ配置部１１ａの角度と、軌跡方向Ｄ１に対する光源パッケージ配置部１１ｃの角度とは異なる。一方、軌跡配置障害部に隣接していない光源パッケージ配置部１１ｄ、１１ｈ、１１ｌ、１１ｐ、１１ｔおよび１１ｗは、軌跡方向Ｄ１に沿って配置されている。なお、上記「角度」は、軌跡方向Ｄ１と各光源パッケージ配置部１１の所定方向とでなす角度である。「光源パッケージ配置部１１の所定方向」とは、例えば、光源パッケージ配置部１１の長手方向、光源パッケージ配置部１１に形成されているアノード端子とカソード端子とを結ぶ線分に沿う方向、などである。
【００３０】
図４および図５を参照して本発明の実施形態に係る基板１００について説明する。図４および図５は、図３の一部拡大図である。図５には配線部８０を記載している。
【００３１】
図４に示すように、光源パッケージ配置部１１は、一端に配置される第１電極配置部７１と他端に配置される第２電極配置部７２とを含む。第１電極配置部７１は、例えば、アノード端子部であり、第２電極配置部７２は、例えば、カソード端子部である。光源パッケージ１２を光源パッケージ配置部１１に搭載する際、第１電極配置部７１にＬＥＤのアノード端子を接続させ、第２電極配置部７２にＬＥＤのカソード端子を接続させるように光源パッケージ１２を配置する。電極方向Ｄ３は、第１電極配置部７１から第２電極配置部７２に向かう方向である。
【００３２】
軌跡配置障害部に隣接する光源パッケージ配置部１１は、軌跡方向Ｄ１に対する角度を各光源パッケージ配置部１１ごとに異ならせて配置される。したがって、電極方向Ｄ３は、各光源パッケージ配置部１１ごとに異なる。
【００３３】
図４において、軌跡配置障害部は、コネクタ配置部６１、凹部３２ｆおよび取付具配置部５１ｃである。
【００３４】
光源パッケージ配置部１１ｔは、軌跡配置障害部に隣接していない。したがって、光源パッケージ配置部１１ｔは、軌跡方向Ｄ１に沿って配置される。すなわち、電極方向Ｄ３ｔと、軌跡方向Ｄ１は平行である。ここでは、軌跡方向Ｄ１と長手方向Ｄ２は平行である。
【００３５】
光源パッケージ配置部１１ｕは、軌跡配置障害部の凹部３２ｆと隣接している。したがって、光源パッケージ配置部１１ｕは、軌跡方向Ｄ１に対して基板１００の内周側に角度を変更して配置される。すなわち、電極方向Ｄ３ｕは、軌跡方向Ｄ１に対して基板１００の内周側に向いている。
【００３６】
光源パッケージ配置部１１ｖは、軌跡配置障害部の凹部３２ｆおよび取付具配置部５１ｃと隣接している。したがって、光源パッケージ配置部１１ｖは、軌跡方向Ｄ１に対して基板１００の外周側に角度を変更して配置される。すなわち、電極方向Ｄ３ｖは、軌跡方向Ｄ１に対して本体部１０の外周側に向いている。
【００３７】
光源パッケージ配置部１１ｗは、軌跡配置障害部の取付具配置部５１ｃと隣接している。したがって、光源パッケージ配置部１１ｗは、軌跡方向Ｄ１に対して基板１００の内周側に角度を変更して配置される。すなわち、電極方向Ｄ３ｗは、軌跡方向Ｄ１に対して基板１００の内周側に向いている。
【００３８】
光源パッケージ配置部１１ｘおよび光源パッケージ配置部１１ａは、コネクタ配置部６１に隣接している。コネクタ配置部６１は、光源パッケージ配置部１１ａおよび光源パッケージ配置部１１ｘと重ならないように配置される。したがって、光源パッケージ配置部１１ａおよび光源パッケージ配置部１１ｘは、軌跡方向Ｄ１に対して内周側に角度を変更して配置される。すなわち、電極方向Ｄ３ｘおよび電極方向Ｄ３ａは、軌跡方向Ｄ１に対して基板１００の内周側に向いている。軌跡方向Ｄ１対する光源パッケージ配置部１１の角度、すなわち、軌跡方向Ｄ１対する電極方向Ｄ３の角度は、コネクタ配置部６１に隣接する光源パッケージ配置部１１ｘおよび光源パッケージ配置部１１ａが最も大きい。
【００３９】
図５に示すように、基板１００は、配線部８０と、非配線部８２と、配線禁止部８４とを有する。基板１００は、素子が搭載可能な実装層と、配線部８０を含む配線層とを有する。
【００４０】
配線部８０は、銅箔などで構成される導電パターンで構成されている。配線部８０は、互いに電気的に分離した複数の配線部を含む。光源パッケージ配置部１１は、第１電極配置部７１と第２電極配置部７２とを同じ配線部に配置しないよう、２つの配線部にまたがるように配置される。配線部８０は、複数の光源パッケージ配置部１１を電気的に接続する。例えば、光源パッケージ配置部１１ｔと、光源パッケージ配置部１１ｖと、光源パッケージ配置部１１ｘとは配線部８０を介して電気的に接続されている。また、光源パッケージ配置部１１ｕと、光源パッケージ配置部１１ｗとは配線部８０を介して電気的に接続されている。
【００４１】
配線禁止部８４では、本体部１０の形状に応じて配線部８０の配置が禁止される。配線禁止部８４は、凹部３２によって規定される。具体的には、凹部３２ｆから配線部８０までの間隔が絶縁距離（沿面距離）を確保できるように凹部３２ｆにおける配線禁止部８４は規定される。
【００４２】
また、配線禁止部８４は取付具配置部５１ｃによって規定される。具体的には、取付具配置部５１ｃに取付具５２ｃ（図２参照）が配置された場合に、取付具５２ｃから配線部８０までの間隔が絶縁距離（沿面距離）を確保できるように取付具配置部５１ｃの近傍に配線禁止部８４は規定される。
【００４３】
光源パッケージ配置部１１は、配線禁止部８４に配線部８０が配置されないように、軌跡方向Ｄ１に対する光源パッケージ配置部１１の角度を変更して配置される。
【００４４】
以上、図１〜図５を参照して説明したように、複数の光源素子配置部９１は、等間隔に配置されている。また、複数の光源素子配置部９１を結ぶ軌跡に沿った軌跡方向Ｄ１に対する第１光源パッケージ配置部１１の角度は、軌跡方向Ｄ１に対する第２光源パッケージ配置部１１の角度と異なる。したがって、光源パッケージ配置部１１に配置された光源パッケージが含む光源素子９２の発光ムラを抑制しつつ、基板１００の設計の自由度を向上させることができる。例えば、基板１００の本体部１０の幅の増加を抑制しつつ、配線領域の確保、絶縁距離の確保または部品配置領域の確保をすることができる。
【００４５】
また、基板１００において、軌跡配置障害部に隣接する光源パッケージ配置部１１は軌跡方向Ｄ１とは異なる方向に沿って配置されている。したがって、本体部１０の幅の増加を抑制しつつ、配線領域の確保、絶縁距離の確保または部品配置領域の確保をすることができる。
【００４６】
以上、図面（図１〜図５）を参照しながら本発明の実施形態を説明した。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００４７】
（１）図１〜図５を参照して説明したように、本実施形態では、光源素子配置部９１は同一円周上に配置されていたが、これに限定されない。例えば、光源素子配置部９１は直線状に配置されていてもよい。図６は、本発明の他の実施形態に係る基板１００を示す模式図である。光源素子配置部９１ａ〜光源素子配置部９１ｄは直線状に配置されている。光源パッケージ配置部１１ｂおよび光源パッケージ配置部１１ｃは、取付具配置部５１ｃに隣接するため、軌跡方向Ｄ１に対して角度を変更して配置されている。
【００４８】
（２）図１〜図５を参照して説明したように、本実施形態では、基板１００の本体部１０は環状であったが、これに限定されない。例えば、本体部１０は、円弧状であってもよい。本体部１０が円弧状である場合、光源素子配置部９１は円弧状に配列される。
【００４９】
（３）図１〜図５を参照して説明したように、本実施形態では、光源パッケージ配置部１１は一列に配置されていたが、光源パッケージ配置部１１は複数列配列されてもよい。例えば、光源パッケージ配置部１１は、同心円状に３列配列されてもよい。
【００５０】
本願は、さらに以下の付記を開示する。なお、以下の付記は、本発明を限定するものではない。
【００５１】
（付記１）
本体部と、
前記本体部へ配列され、それぞれに光源素子配置部を含む複数の光源パッケージ配置部と、
を備え、
前記複数の光源素子配置部は等間隔に配列され、
前記複数の光源パッケージ配置部は、第１光源パッケージ配置部と、第２光源パッケージ配置部とを含み、
前記複数の光源素子配置部を結ぶ軌跡に沿った軌跡方向に対する前記第１光源パッケージ配置部の角度は、前記軌跡方向に対する前記第２光源パッケージ配置部の角度と異なる、基板。
【００５２】
（付記２）
前記第１光源パッケージ配置部は、前記軌跡方向に沿って配置される、付記１に記載の基板。
【００５３】
（付記３）
前記光源素子配置部は、前記光源パッケージ配置部の中心に配置される、付記１または付記２に記載の基板。
【００５４】
（付記４）
前記光源パッケージ配置部は、
一端に配置される第１電極配置部と、
他端に配置される第２電極配置部と
を含み、
前記第１光源パッケージ配置部の前記第１電極配置部から前記第２電極配置部に向かう方向を示す電極方向は、前記第２光源パッケージ配置部の前記第１電極配置部から前記第２電極配置部に向かう方向を示す前記電極方向と異なる、付記１から付記３のいずれか１項に記載の基板。
【００５５】
（付記５）
前記複数の光源パッケージ配置部のうちの少なくとも１つの光源パッケージ配置部が前記軌跡方向に沿って配置されることを妨害する軌跡配置障害部をさらに備え、
前記複数の光源パッケージ配置部のうちの前記軌跡配置障害部に隣接する光源パッケージ配置部は前記軌跡方向とは異なる方向に沿って配置されている、付記１から付記４のいずれか１項に記載の基板。
【００５６】
（付記６）
前記軌跡配置障害部は、前記本体部へ配置されるコネクタ配置部を含み、
前記コネクタ配置部は、前記複数の光源パッケージ配置部と重ならないように配置される、付記５に記載の基板。
【００５７】
（付記７）
前記複数の光源配置部を電気的に接続する配線部と、
非配線部と、
前記本体部の形状に応じて前記配線部の配置が禁止される配線禁止部と
を有し、
前記軌跡配置障害部は、前記配線禁止部を含む、付記５または６に記載の基板。
【００５８】
（付記８）
前記本体部は、
長手方向に延びる主面と、
前記長手方向に延びる側面と、
前記側面に設けられた少なくとも１つの凹部と
を有し、
前記配線禁止部は前記凹部によって規定される、付記７に記載の基板。
【００５９】
（付記９）
前記本体部は、
長手方向に延びる主面と、
前記長手方向に延びる側面と、
前記側面に設けられた少なくとも１つの凸部と
を有し、
前記凸部へ配置される少なくとも１つの取付具配置部さらに備え、
前記配線禁止部は前記取付具配置部によって規定される、付記７または付記８に記載の基板。
【００６０】
（付記１０）
前記複数の光源素子配置部は同一円周上に配列される、付記１から付記９のいずれか１項に記載の基板。
【００６１】
（付記１１）
前記複数の光源素子配置部は円弧状に配列される、付記１から付記１０のいずれか１項に記載の基板。
【００６２】
（付記１２）
前記複数の光源素子配置部は直線状に配列される、付記１から付記９のいずれか１項に記載の基板。
【００６３】
（付記１３）
前記本体部は環状である、付記１から付記１２のいずれか１項に記載の基板。
【００６４】
（付記１４）
付記１から付記１３のいずれか１項に記載の基板と、
前記複数の光源パッケージ配置部にそれぞれ配置されている複数の光源パッケージと
を備え、
前記複数の光源パッケージのそれぞれは光源素子を有し、
前記複数の光源素子が前記複数の光源素子配置部に対応するように、前記複数の光源パッケージ配置部は配置されている、光源モジュール。
【００６５】
（付記１５）
前記複数の光源素子は、ＬＥＤである、付記１４に記載の光源モジュール。
【符号の説明】
【００６６】
１０    本体部
１１、１１ａ〜１１ｘ  光源パッケージ配置部
９１、９１ａ〜９１ｘ  光源素子配置部
１００  基板
Ｄ１    軌跡方向
【図１】
0006498990.tif 000002
【図２】
0006498990.tif 000003
【図３】
0006498990.tif 000004
【図４】
0006498990.tif 000005
【図５】
0006498990.tif 000006
【図６】
0006498990.tif 000007